(57)【要約】【課題】ＭＤカートリッジの記録再生装置におけるポップアップ方式の開閉蓋のロック用つまみをユーザーがいじわる操作することによって、その開閉蓋が不用意にポップアップされて、磁気ヘッド等が破損されることを防止する。【解決手段】ヘッド昇降駆動用部材１７がモータ１８によって駆動されて、ヘッド下降位置Ｐ４からヘッド上昇位置Ｐ３へスライド駆動される際に、ユーザーのいじわる操作によって蓋ロック解除禁止用スライダー２６が禁止位置６にロックされた場合でも、ス捩りコイルバネ２８の先端部２８ａ側を撓ませながら、ヘッド昇降駆動用部材１７がヘッド下降位置Ｐ４からヘッド上昇位置Ｐ３まで、全ストロークを完全にスライドできるＭＤカートリッジの記録再生装置。【選択図】図１
2006048787.tif 000002
【特許請求の範囲】
【請求項１】
カートリッジが挿入、排出されるカートリッジ挿入位置と、その挿入されたカートリッジが装着されて、内部の記録媒体が記録及び／又は再生されるカートリッジ装着位置との間で移動自在に構成されたカートリッジホルダーと、
ロック位置とロック解除位置との間で移動自在に構成され、付勢手段によって前記ロック解除位置から前記ロック位置へ移動付勢されている開閉蓋ロック用部材であって、該開閉蓋ロック用部材が前記ロック位置にある状態で前記カートリッジホルダーが前記カートリッジ挿入位置から前記カートリッジ装着位置へ移動された時に、該カートリッジホルダーをその装着位置にロックし、該開閉蓋ロック用部材が手動操作によって前記付勢手段に抗して前記ロック位置から前記ロック解除位置へ移動操作されることにより、前記カートリッジホルダーの前記カートリッジ装着位置でのロックを解除する開閉蓋ロック用部材と、
前記カートリッジホルダーに取り付けられたヘッド昇降駆動用部材であって、ヘッド上昇位置とヘッド下降位置との間でモータで駆動されることにより、ヘッドを前記カートリッジホルダー内の前記カートリッジ内に出し入れ操作するヘッド昇降駆動用部材と、
前記カートリッジホルダーに取り付けられて、前記ヘッド昇降駆動用部材で制御される制御部材であって、前記ヘッド昇降駆動用部材が前記ヘッド上昇位置から前記ヘッド下降位置へ移動された時に、前記開閉蓋ロック用部材が前記ロック位置から前記ロック解除位置へ移動操作されることを禁止する禁止位置へ移動され、前記ヘッド昇降駆動用部材が前記ヘッド下降位置から前記ヘッド上昇位置へ移動された時に、前記開閉蓋ロック用部材を前記ロック位置から前記ロック解除位置へ移動可能にする禁止解除位置へ移動される制御部材と、
前記ヘッド昇降駆動用部材と前記制御部材との間に介在された中間部材であって、通常状態では該ヘッド昇降駆動用部材の前記ヘッド上昇位置と前記ヘッド下降位置との間の往復動に連動して該制御部材を前記禁止位置と前記禁止解除位置との間で往復動させ、該ヘッド昇降駆動用部材の前記ヘッド下降位置から前記ヘッド上昇位置への移動開始とほぼ同時に、前記開閉蓋ロック用部材が前記ロック位置から前記ロック解除位置側へ手動操作されるいじわる操作が行われた際には、前記制御部材を前記禁止位置に置き残したまま、該ヘッド昇降駆動用部材の前記ヘッド上昇位置への移動を許容する中間手段とを備えた
ことを特徴とするカートリッジ式記録再生装置。
【請求項２】
前記中間手段がバネ等の弾性部材で構成されている
ことを特徴とする請求項１に記載のカートリッジ式記録再生装置。
【請求項３】
前記カートリッジホルダーに設けられた取付軸の周りに回転自在に取り付けられて、両端部が前記ヘッド昇降駆動用部材と前記制御部材とに連結された捻りコイルバネによって前記中間手段が構成されている
ことを特徴とする請求項２に記載のカートリッジ式記録再生装置。
【請求項４】
前記ヘッド昇降駆動用部材の一部と前記制御部材の一部とが直交された直交部間に取り付けられたバネによって前記中間手段が構成されている
ことを特徴とする請求項２に記載のカートリッジ式記録再生装置。
【請求項５】
前記カセットホルダーが記録再生装置本体の開閉蓋と一緒に前記カートリッジ挿入位置と前記カートリッジ装着位置との間で開閉されるように構成されている
ことを特徴とする請求項１に記載のカートリッジ式記録再生装置。
【発明の詳細な説明】
【技術分野】
【０００１】
本発明は、ディスク状等の記録媒体が内部に収納されているカートリッジを手動で装着して記録及び／又は再生を行う、携帯用に最適なカートリッジ式記録再生装置に関するものである。
【背景技術】
【０００２】
図６〜図１４に示すように、従来から知られているＭＤウォークマン（ソニー株式会社の登録商標）と称される小型のカートリッジ式記録再生装置は、小型のディスク状記録媒体であるＭＤ（ミニディスク）１が収納されているカートリッジであるＭＤカートリッジ２を用いて、音楽情報やその他の各種の情報を記録及び／又は再生することができるように構成されている。
このカートリッジ式記録再生装置は、薄型の記録再生装置本体３内に設置された薄型のメカデッキ４に薄型のスピンドルモータ５及び光学ピックアップ６が搭載され、記録再生装置本体３の上部を覆う開閉蓋７とその内側に結合されたカートリッジホルダー８がメカデッキ４に対して回転支点９の周りに上下方向である矢印ａ、ｂ方向に一緒に開閉されるように構成されている。また、光学ピックアップ６と一体にスライド駆動される磁界変調用の浮上用ヘッドである磁気ヘッド１０が板バネからなるサスペンション１１によってカートリッジホルダー８の上側開口部８ａ内にスライド自在に載置されている。
【０００３】
使用時には、図７に示すように、開閉蓋７と一緒にカートリッジ挿入位置までポップアップ用開放手段（図示せず）によって矢印ａ方向に斜めに開放されたカートリッジホルダー８内にＭＤカートリッジ２を矢印ｃ方向に斜めに挿入すると、そのＭＤカートリッジ２のスライドシャッター（図示せず）が開放される。
次に、図８に示すように、開閉蓋７と一緒にカートリッジホルダー８をメカデッキ４上のカートリッジ装着位置へポップアップ用開放手段に抗して回転支点９の周りに矢印ｂ方向に回転して、開閉蓋７で記録再生装置本体３の上部を閉塞すると、ＭＤカートリッジ２がメカデッキ４上に水平に装着される。
【０００４】
この時、図１３に示すように、記録再生装置本体３の前面の内側に左右横方向にスライド自在に取り付けられている開閉蓋ロック用部材１３の開閉蓋ロック爪１３ａが開閉蓋７の前面の内側に一体成形等されている被ロック部７ａを係合されて、開閉蓋７が自動的にロックされ、ＭＤカートリッジ２の装着操作が終了する。
この際、開閉蓋ロック用部材１３がスライド付勢手段である引張りコイルバネ１４に抗して一度矢印ｅ方向へスライドされた後に、その引張りコイルバネ１４によって矢印ｆ方向へスライド復帰されることによって、開閉蓋７の被ロック部７ａが開閉蓋ロック用部材１３の開閉蓋ロック爪１３ａによってロックされる。
【０００５】
そして、ＭＤカートリッジ２のメカデッキ４上への装着により、ＭＤカートリッジ２内のＭＤ１がスピンドルモータ５にチャッキングされると共に、そのメカデッキ４上の光学ピックアップ６がＭＤカートリッジ２の下側開口部２ａ内に挿入され、磁界変調用の磁気ヘッド１０が光学ピックアップ・磁気ヘッド移送手段１２の後端部１２ａ上に支持されているサスペンション１１によってＭＤカートリッジ２の上側開口部２ｂ内に挿入されて、これら光学ピックアップ６と磁気ヘッド１０がＭＤカートリッジ２内のＭＤ１の上下に近接された状態に対向される。
そして、ＭＤカートリッジ２の装着完了後に、記録／再生スイッチ（図示せず）がＯＮされると、ＭＤ１がスピンドルモータ５によって回転駆動されると共に、光学ピックアップ移送機構のモータ（図示せず）によって駆動される光学ピックアップ・磁気ヘッド移送手段１２によって光学ピックアップ６と磁気ヘッド１０が一体にＭＤ１の半径方向（図６で矢印ｇ方向）へ走査されて、ＭＤ１の記録／再生が行われる。
【０００６】
そして、ＭＤ１の記録／再生の終了後に、記録再生装置本体３の前面に突出されているロック解除つまみ１５によって開閉蓋ロック用部材１３を引張りコイルバネ１４に抗して図１３に１点鎖線で示すようにロック位置Ｐ１からロック解除位置Ｐ２へ矢印ｅへ方向に手動でスライド操作すると、開閉蓋ロック爪１３ａが開閉蓋７の被ロック部７ａから外されて、図７に示すように、開閉蓋７がカートリッジホルダー８と一緒にカートリッジ挿入位置へ回転支点９の周りに矢印ａ方向へポップアップされる。この後に、ＭＤカートリッジ２を矢印ｄ方向であるカートリッジホルダー８の斜め上方へ手動で抜き取ることができる。
【０００７】
ところで、このカートリッジ式記録再生装置は、図６〜図１４に示すように、ＭＤカートリッジ２の装着状態では、カートリッジホルダー８上にスライド自在に取り付けられているヘッド昇降駆動用部材１７のヘッド昇降部１７ａがカートリッジホルダー８の上部開口部８ａを横断する状態で、そのカートリッジホルダー８の上部に沿ってヘッド上昇位置Ｐ３とヘッド下降位置Ｐ４との間で矢印ｈ、ｉ方向へスライド自在に配置されていて、そのヘッド昇降部１７ａの上部にサスペンション１１が直角状で、相対的に摺動自在に載置されている。そして、そのサスペンション１１の先端の下部に装着されている磁気ヘッド１０がカートリッジホルダー８の上側開口部８ａを通してＭＤカートリッジ２の上側開口部２ｂ内に挿入されている。
【０００８】
そして、カートリッジホルダー８内へのＭＤカートリッジ２の装着後に、記録／再生スイッチがＯＮされると、図８〜図１４に示すように、減速機付のヘッド昇降駆動用モータ１８の正回転駆動によってヘッド上昇位置Ｐ３からヘッド下降位置Ｐ４まで矢印ｅ方向へスライド駆動され、そのヘッド昇降駆動用部材１７のヘッド昇降部１７ａによって磁気ヘッド１０がサスペンション１１のバネ力によってＭＤカートリッジ２の上側開口部２ｂ内に上方から挿入されてＭＤ１上に近接される。
また、記録／再生停止スイッチ（図示せず）がＯＮされると、ヘッド昇降駆動用モータ１８の逆回転駆動によってヘッド昇降駆動用部材１７がヘッド下降位置Ｐ４からヘッド上昇位置Ｐ３まで矢印ｉ方向へスライド駆動され、そのヘッド昇降駆動用部材１７のヘッド昇降部１７ａによって磁気ヘッド１０がサスペンション１１のバネ力に抗してＭＤカートリッジ２の上方へ押し上げられるように構成されている。
【０００９】
更に、このカートリッジ式記録再生装置は、図１１〜図１４に示すように、ＭＤ１の記録／再生途中に、ロック解除つまみ１５が不用意にスライド操作されて、開閉蓋ロック用部材１３が引張りコイルバネ１４に抗してロック位置Ｐ１からロック解除位置Ｐ２まで矢印ｅ方向へ不用意にスライドされることがあると、図１０に示すように、磁気ヘッド１０がＭＤカートリッジ２内に挿入されている状態のまま、カートリッジホルダー８が開閉蓋７と一緒に回転支点９の周りに矢印ａ方向へポップアップされてしまい、磁気ヘッド１０がＭＤカートリッジ２によって破損される危険がある。
【００１０】
そこで、このカートリッジホルダー８の不用意なポップアップを禁止するための制御手段である蓋ロック解除禁止用レバー２０をカートリッジホルダー１５上の開閉蓋ロック用部材１３に近接された位置に回転支点２１の周りに矢印ｉ、ｋ方向に回転自在に取り付け、ヘッド昇降駆動用部材１７の先端部１７ｂと蓋ロック解除禁止用レバー２０の一端部２０ａとをガイドピン２２とＬ型ガイド溝２３とによって連結している。
そして、ヘッド昇降駆動用部材１７がヘッド昇降駆動用モータ１８によってヘッド上昇位置Ｐ３からヘッド上昇位置Ｐ３まで矢印ｉ方向にスライド駆動される際に、ガイドピン２２及びＬ型ガイド溝２３を介して蓋ロック解除禁止用レバー２０が図１１及び図１３に示す禁止解除位置Ｐ５から図１２及び図１４に示す禁止位置Ｐ６まで回転支点２１を中心に矢印ｉ方向へ回転駆動されて、その蓋ロック解除禁止用レバー２０の他端部２０ｂがロック位置Ｐ１にある開閉蓋ロック用部材１３の開閉蓋ロック爪１３ａの後退方向側である矢印ｊ方向へ入り込ませるように構成している。
【００１１】
これにより、ＭＤ１の記録／再生中には、不用意に開閉蓋ロック用部材１３がロック位置Ｐ１からロック解除位置Ｐ２側へ矢印ｅ方向へスライド操作されようとした場合に、開閉蓋ロック爪１３ａが蓋ロック解除禁止用レバー２０の他端部２０ｂに当接されて、その開閉蓋ロック用部材１３がロック解除位置Ｐ２側へスライド操作されることを禁止して、カートリッジホルダー８が矢印ａ方向へ不用意にポップアップされることを未然に防止するように構成されていた。
なお、ヘッド昇降駆動用部材１７がヘッド昇降駆動用モータ１８によってヘッド下降位置Ｐ４からヘッド上昇位置Ｐ３へ矢印ｉ方向へスライド駆動されると、ガイドピン２２及びＬ型ガイド溝２３を介して蓋ロック解除禁止用レバー２０が図１２及び図１４に示す禁止位置Ｐ６から図１１及び図１３に示す禁止解除位置Ｐ５まで回転支点２１を中心に矢印ｋ方向へ回転されて、その蓋ロック解除禁止用レバー２０の他端２０ｂが開閉蓋ロック用部材１３の開閉蓋ロック爪１３ａのスライド軌跡内から矢印ｋ方向へ抜き出されるので、開閉蓋ロック用部材１３が矢印ｅ、ｆ方向へ自由にスライド可能となる。
【特許文献１】特開平９−２６５７２１号公報
【発明の開示】
【発明が解決しようとする課題】
【００１２】
解決しようとする問題点は、ヘッド下降位置Ｐ４とヘッド上昇位置Ｐ３との間で矢印ｈ、ｉ方向に直線移動されるヘッド昇降駆動用部材１７の先端部１７ｂと、回転支点２１の周りに矢印ｊ、ｋ方向に回転される蓋ロック解除禁止用レバー２０の一端部２０ａとをガイドピン２２とＬ型ガイド溝２３によって連結している構造は、ヘッド昇降駆動用部材１７の直線移動が阻害されることなく蓋ロック解除禁止用レバー２０を回転操作できるようにするためになされたものであるが、このガイドピン２２とＬ型ガイド溝２３との間に存在する僅かな遊び代によって、ヘッド昇降駆動用部材１７の直線移動と蓋ロック解除禁止用レバー２０の回転との間には多少の時間差（タイムラグ）が発生する。  
このため、ヘッド昇降駆動用部材１７がヘッド昇降駆動用モータ１８によってヘッド下降位置Ｐ４からヘッド上昇位置Ｐ３へ矢印ｉ方向へスライド駆動開始される際に、蓋ロック解除禁止用レバー２０は少し遅れて禁止位置Ｐ６から禁止解除位置Ｐ５へ矢印ｊ方向へ回転開始されることになる。
【００１３】
従って、記録／再生停止スイッチが押されて、ヘッド昇降駆動用部材１７がヘッド昇降駆動用モータ１８によってヘッド下降位置Ｐ４からヘッド上昇位置Ｐ３へ矢印ｆ方向へスライド駆動開始されるのとほぼ同時に、ユーザーによるいじわる操作によって、ロック解除つまみ１５を介して開閉蓋ロック用部材１３がロック位置Ｐ１からロック解除位置Ｐ２方向である矢印ｅ方向へ押されることがあると、その開閉蓋ロック用部材１３の開閉蓋ロック爪１３ａが蓋ロック解除禁止用レバー２０の他端部２０ｂの側面２０ｃに強く押しつけられて、蓋ロック解除禁止用レバー２０が禁止位置Ｐ６にロックされてしまい、ヘッド昇降駆動用部材１７がヘッド下降位置Ｐ４から矢印ｉ方向へ僅かに移動された途中位置で停止してしまう（なお、この時には、ヘッド昇降駆動用モータ１８が負電圧によって一定時間経過後に自動停止する）。
【００１４】
つまり、このユーザーによるいじわる操作は、本来、ヘッド昇降駆動用部材１７がヘッド下降位置Ｐ４からヘッド上昇位置Ｐ３まで矢印ｉ方向へ完全にスライド駆動されて、ヘッド昇降部１７ａによって磁気ヘッド１０がＭＤカートリッジ２の上側開口部２ｂの上方へ完全に引き出さなければならないところを、ヘッド昇降駆動用部材１７がヘッド下降位置Ｐ４からヘッド上昇位置Ｐ３側へ極く僅かに移動した位置で停止して、磁気ヘッド１０がＭＤカートリッジ２の上側開口部２ｂ内に取り残された状態を招くことになる。但し、この時には、ヘッド昇降駆動用部材１７によって蓋ロック解除禁止用レバー２０に矢印ｋ方向の回転力が付与された状態を呈している。
【００１５】
従って、この後に、ユーザーがロック解除つまみ１５から一度手を離すと、蓋ロック解除禁止用レバー２０の一端部２０ａが禁止位置Ｐ６から矢印ｋ方向へ僅かに回転して、その蓋ロック解除禁止用レバー２０の他端部２０ｂがヘッド昇降駆動用部材１７の開閉蓋ロック爪１３ａから逃げる。そして、この後、ユーザーが再びロック解除つまみ１５を介してヘッド開閉蓋ロック用部材１７をロック位置Ｐ１からロック解除位置Ｐ２まで矢印ｅ方向へスライド操作してしまうことがあれば、磁気ヘッド１０がＭＤカートリッジ２の上側開口部２ｂ内に挿入されたまま、カートリッジホルダー８によってＭＤカートリッジ２が矢印ｂ方向にポップアップされて、磁気ヘッド１０やサスペンション１１がＭＤカートリッジ２によって破損されてしまうと言う重大事故を発生するという問題があった。
【課題を解決するための手段】
【００１６】
本発明のカートリッジ式記録再生装置は、上記したようなユーザーによるいじわる操作による磁気ヘッドやサスペンションの破損を防止するために、カートリッジが挿入、排出されるカートリッジ挿入位置と、その挿入されたカートリッジが装着されて、内部の記録媒体が記録及び／又は再生されるカートリッジ装着位置との間で移動自在に構成されたカートリッジホルダーと、ロック位置とロック解除位置との間で移動自在に構成され、付勢手段によって前記ロック解除位置から前記ロック位置へ移動付勢されている開閉蓋ロック用部材であって、該開閉蓋ロック用部材が前記ロック位置にある状態で前記カートリッジホルダーが前記カートリッジ挿入位置から前記カートリッジ装着位置へ移動された時に、該カートリッジホルダーをその装着位置にロックし、該開閉蓋ロック用部材が手動操作によって前記付勢手段に抗して前記ロック位置から前記ロック解除位置へ移動操作されることにより、前記カートリッジホルダーの前記カートリッジ装着位置でのロックを解除する開閉蓋ロック用部材と、前記カートリッジホルダーに取り付けられたヘッド昇降駆動用部材であって、ヘッド上昇位置とヘッド下降位置との間でモータで駆動されることにより、ヘッドを前記カートリッジホルダー内の前記カートリッジ内に出し入れ操作するヘッド昇降駆動用部材と、前記カートリッジホルダーに取り付けられて、前記ヘッド昇降駆動用部材で制御される制御部材であって、前記ヘッド昇降駆動用部材が前記ヘッド上昇位置から前記ヘッド下降位置へ移動された時に、前記開閉蓋ロック用部材が前記ロック位置から前記ロック解除位置へ移動操作されることを禁止する禁止位置へ移動され、前記ヘッド昇降駆動用部材が前記ヘッド下降位置から前記ヘッド上昇位置へ移動された時に、前記開閉蓋ロック用部材を前記ロック位置から前記ロック解除位置へ移動可能にする禁止解除位置へ移動される制御部材と、前記ヘッド昇降駆動用部材と前記制御部材との間に介在された中間部材であって、通常状態では該ヘッド昇降駆動用部材の前記ヘッド上昇位置と前記ヘッド下降位置との間の往復動に連動して該制御部材を前記禁止位置と前記禁止解除位置との間で往復動させ、該ヘッド昇降駆動用部材の前記ヘッド下降位置から前記ヘッド上昇位置への移動開始とほぼ同時に、前記開閉蓋ロック用部材が前記ロック位置から前記ロック解除位置側へ手動操作されるいじわる操作が行われた際には、前記制御部材を前記禁止位置に置き残したまま、該ヘッド昇降駆動用部材の前記ヘッド上昇位置への移動を許容する中間手段とを備えたものである。
【発明の効果】
【００１７】
本発明のカートリッジ式記録再生装置は、ヘッド昇降駆動用部材が下降位置からヘッド上昇位置へ移動開始されるのとほぼ同時に、開閉蓋ロック用部材がロック位置からロック解除位置側へ手動操作されるいじわる操作が行われた際には、ヘッド昇降駆動用部材と制御部材との間の中間手段の存在により、制御部材を禁止位置に置き残したまま、ヘッド昇降駆動用部材をヘッド上昇位置まで完全に移動させて、磁気ヘッドをカートリッジ外へ完全に引き出すことができるので、この後のカートリッジのポップアップ等によって磁気ヘッドやサスペンション等が破損されることを未然に防止することができる。
【００１８】
ヘッド昇降駆動用部材が下降位置からヘッド上昇位置へ移動開始されるのとほぼ同時に、開閉蓋ロック用部材がロック位置からロック解除位置側へ手動操作されるいじわる操作が行われた際には、ヘッド昇降駆動用部材と制御部材との間の中間手段の存在により、制御部材を禁止位置に置き残したまま、ヘッド昇降駆動用部材をヘッド上昇位置まで完全に移動させるという目的を、カートリッジホルダーに設けられた取付軸の周りに回転自在に取り付けられて、両端部がヘッド昇降駆動用部材と制御部材とに連結された捩りコイルバネによって中間手段を構成することで実現した。
【００１９】
ヘッド昇降駆動用部材が下降位置からヘッド上昇位置へ移動開始されるのとほぼ同時に、開閉蓋ロック用部材がロック位置からロック解除位置側へ手動操作されるいじわる操作が行われた際には、ヘッド昇降駆動用部材と制御部材との間の中間手段の存在により、制御部材を禁止位置に置き残したまま、ヘッド昇降駆動用部材をヘッド上昇位置まで完全に移動させるという目的を、ヘッド昇降駆動用部材の一部と制御部材の一部とが直交された直交部間に取り付けられたバネによって中間手段を構成することで実現した。
【発明を実施するための最良の形態】
【００２０】
＜実施例１＞
図１〜図３によって、本発明のカートリッジ式記録再生装置の実施例１について説明する。なお、図６〜図１４によって既に説明した構造部と同一の構造部については同一の符号を付すことにより、説明が重複することを省いている。
この実施例１は、カートリッジホルダー８の不用意なポップアップを禁止するための蓋ロック解除禁止手段である蓋ロック解除禁止用スライダー２６をカートリッジホルダー８上にヘッド昇降駆動用部材１７と平行な方向である矢印ｍ、ｎ方向にスライド自在に取り付けている。そして、カートリッジホルダー８上で、ヘッド昇降駆動用部材１７と蓋ロック解除禁止用スライダー２６とのほぼ中間位置に回転支点２７を設けて、中間部材である捩りコイルバネ２８のコイル部２８ａをその回転支点２７の外周に矢印ｍ、ｎ方向に回転自在に取り付けている。そして、その捩りコイルバネ２８のコイル部２８ａの両端部のうちの一端部２８ｂをヘッド昇降駆動用部材１７の先端部１７ｂのバネ係止部１７ｃに係止し、他端部２８ｃを蓋ロック解除禁止用スライダー２６のバネ係止部２６ｃに係止している。
【００２１】
このように構成された本発明のカートリッジ式記録再生装置の実施例１によれば、図２に示すように、ヘッド昇降駆動用部材１７がヘッド昇降駆動用モータ１８によってヘッド上昇位置Ｐ３まで矢印ｉ方向へスライド駆動された時には、捩りコイルバネ２８が回転支点２７の周りに矢印ｏ方向に回転されて、その捩りコイルバネ２８によって蓋ロック解除禁止用スライダー２６が禁止解除位置Ｐ５まで矢印ｍ方向へスライドされている。
そして、図３に示すように、ヘッド昇降駆動用部材１７がヘッド昇降用駆動モータ１８によってヘッド上昇位置Ｐ３からヘッド下降位置Ｐ４まで矢印ｈ方向へスライド駆動される際には、捩りコイルバネ２８が回転支点２７の周りに矢印ｐ方向に回転されて、その捩りコイルバネ２８によって蓋ロック解除禁止用スライダー２６が禁止解除位置Ｐ５から禁止位置Ｐ６まで矢印ｎ方向へスライド駆動されて、その蓋ロック解除禁止用スライダー２６の先端部２６ａが開閉蓋ロック用部材１３の開閉蓋ロック爪１３ａの後退方向である矢印ｎ方向へ入り込むことになる。
【００２２】
これにより、ＭＤ１の記録／再生中には、不用意に開閉蓋ロック用部材１３がロック位置Ｐ１からロック解除位置Ｐ２へ引張りコイルバネ１４に抗して矢印ｅ方向へスライド操作されようとした場合に、開閉蓋ロック爪１３ａが蓋ロック解除禁止用スライダー２６の先端部２６ａの側面２６ｂに当接されて、その開閉蓋ロック用部材１３がロック解除位置Ｐ２へスライド操作されることを禁止して、カートリッジホルダー８が矢印ａ方向へ不用意にポップアップされることを未然に防止することができる。
【００２３】
一方、図１に示すように、ＭＤ１の記録／再生中に、記録／再生の停止ボタンが押されて、ヘッド昇降駆動用部材１７がヘッド昇降駆動用モータ１８によってヘッド下降位置Ｐ４からヘッド上昇位置Ｐ３まで矢印ｉ方向へスライド駆動開始されるのとほぼ同時に、ユーザーによるいじわる操作によって、ロック解除つまみ１５を介して開閉蓋ロック用部材１３がロック位置Ｐ１からロック解除位置Ｐ２方向である矢印ｅ方向へ押されて、その開閉蓋ロック用部材１３の開閉蓋ロック爪１３ａが蓋ロック解除禁止用スライダー２６の先端部２６ａの側面２６ｂに強く押しつけられて、その蓋ロック解除禁止用スライダー２６が禁止位置Ｐ６にそのままロックされてしまった場合でも、蓋ロック解除禁止用スライダー２６を禁止位置Ｐ６に置き残したまま、ヘッド昇降駆動用部材１７は途中で停止することなく、ヘッド下降位置Ｐ４からヘッド上昇位置Ｐ３まで、捩りコイルバネ２８に抗して全ストローク分を完全にスライド駆動されることになる。
【００２４】
この結果、ヘッド昇降駆動用部材１７はヘッド昇降部１７ａによって磁気ヘッド１０をサスペンション１１に抗してＭＤカートリッジ２の上側開口部２ｂの上方へ確実に排出することができ、この後、ユーザーがロック解除つまみ１５を一度矢印ｆ方向へ戻した後、再度矢印ｅ方向へ押すようにして、開閉蓋ロック用部材１３をロック位置Ｐ１からロック解除位置Ｐ２までスライド操作して、開閉蓋７と一緒にカートリッジホルダー８をカートリッジ装着位置からカートリッジ挿入位置へポップアップしたとしても、磁気ヘッド１０やサスペンション１１がＭＤカートリッジ２によって破損されてしまうような重大事故を未然に防止することができる。
【００２５】
なお、図８に示すように、ＭＤカートリッジ２をカートリッジ挿入位置からカートリッジ装着位置へ装着して、記録／再生ボタンを押し、ヘッド昇降駆動用モータ１８によってヘッド昇降駆動用部材１７をヘッド上昇位置Ｐ３からヘッド下降位置Ｐ４へスライド駆動開始して、磁気ヘッド１０をＭＤカートリッジ２の上側開口部２ｂ内へ下降開始された直後に、開閉蓋７を開けるべく開閉蓋ロック用部材１３をロック位置Ｐ１からロック解除位置Ｐ２側である矢印ｅ方向へスライド操作されたようなユーザーによる第２のいじわる操作が行われた場合でも、蓋ロック解除禁止用スライダー２６の先端部２６ａが開閉蓋ロック用部材１３の開閉蓋ロック爪１３ａの側面１３ｂに衝突して、禁止位置Ｐ６まで完全にスライドできないにも拘らず、ヘッド昇降駆動用部材１７は捩りコイルバネ２８を矢印ｐ方向に撓ませながら、ヘッド下降位置Ｐ４まで矢印ｈ方向へ全ストローク分を完全にスライド駆動されて、ＭＤ１の記録／再生を開始することができる。
【００２６】
＜実施例２＞
図４及び図５によって、本発明のカートリッジ式記録再生装置の実施例２について説明する。
この実施例２は、図１１〜図１４で示した従来の蓋ロック解除禁止レバー２０を用いたものであり、中間部材である捩りコイルバネ３０のコイル部３０ａを蓋ロック解除禁止用レバー２０の回転支点２１の外周に取り付け、その捩りコイルバネ３０の一端部３０ｂをヘッド昇降駆動用部材１７の先端部１７ｂのバネ係止部１７ｃに係止し、他端部３０ｃを蓋ロック解除禁止用レバー２０のバネ係止部２０ｃに係止している。そして、その捩りコイルバネ３０のバネ力によってヘッド昇降駆動用部材１７の先端部１７ｂと蓋ロック解除禁止用レバー２０の一端部２０ｃとを当接部３１、３２で矢印ｊ、ｋ方向から相互に当接させたものである。
【００２７】
このように構成された本発明のカートリッジ式記録再生装置の実施例２によれば、図４に示すように、ヘッド昇降駆動用部材１７と蓋ロック解除禁止用レバー２０とが捩りコイルバネ３０の両端部３０ａ、３０ｂの矢印ｑ、ｒ方向のバネ力によって当接部３１、３２で相互に当接されている。
従って、ヘッド昇降駆動用部材１７がヘッド駆動用モータ１８によってヘッド上昇位置Ｐ３まで矢印ｉ方向へスライド駆動された時には、捩りコイルバネ３０のバネ力によって蓋ロック解除禁止用レバー２０が回転支点２１の周りに矢印ｋ方向へ回転されて、その蓋ロック解除禁止用レバー２０の他端部２０ｂが禁止解除位置Ｐ５まで矢印ｋ方向へ逃がされている。
【００２８】
そして、図５に実線で示すように、ヘッド昇降駆動用部材１７がヘッド昇降駆動用モータ１８によってヘッド上昇位置Ｐ３からヘッド下降位置Ｐ４まで矢印ｈ方向へスライド駆動される際には、当接部３１、３２を介して蓋ロック解除禁止用レバー２０が回転支点２１の周りに矢印ｊ方向へ回転駆動されて、その蓋ロック解除禁止用レバー２０の他端部２０ｂが禁止解除位置Ｐ５から禁止位置Ｐ６まで矢印ｊ方向へ回転駆動される。
【００２９】
そして、図５に１点鎖線で示すように、実施例１の図１と同様に、開閉蓋ロック用部材１３の開閉蓋ロック爪１３ａによって蓋ロック解除禁止用レバー２０の他端部２０ｂが禁止位置Ｐ６にロックされたままの状態で、ヘッド昇降駆動用部材１７がヘッド昇降駆動用モータ１８によってヘッド下降位置Ｐ４からヘッド上昇位置Ｐ３まで矢印ｉ方向へスライド駆動される際には、蓋ロック解除禁止用レバー２０を禁止位置Ｐ６に置き残したまま、捩りコイルバネ３０の一端部３０ｂがバネ力に抗して矢印ｋ方向へ撓んで、ヘッド昇降駆動用部材１７がヘッド上昇位置Ｐ３まで矢印ｉ方向へ全ストローク分を完全にスライド駆動されることになる。
なお、この実施例２では、捩りコイルバネ３０を引張りコイルバネに置換して、その引張りコイルバネでヘッド昇降駆動用部材１７の先端部１７ｂと蓋ロック解除禁止用レバー２０の一端部２０ａとを当接部３１、３２で矢印ｊ、ｋ方向から相互に当接させるように構成しても良い。
【産業上の利用可能性】
【００３０】
以上、本発明の実施の形態について述べたが、本発明は上記した実施例１、２に限定されることなく、本発明の技術的思想に基いて各種の変更が可能である。
例えば、上記した実施の形態では、ヘッド昇降駆動用部材１７と蓋ロック解除禁止用スライダー２６や蓋ロック解除禁止用レバー２０との間の中間部材として１本の捩りコイルバネ２８や３０を介在させたが、蓋ロック解除禁止用スライダー２６や蓋ロック解除禁止用レバー２０を禁止解除位置から禁止位置へ矢印ｎ方向や矢印ｊ方向へ移動付勢するための弱いバネと、ヘッド昇降駆動用部材１７によって蓋ロック解除禁止用スライダー２６や蓋ロック解除禁止用レバー２０を矢印ｍ方向や矢印ｋ方向へ引っ張る強いバネとの２本のバネで中間部材を構成しても良い。
更に、中間部材はゴム等の弾性部材で構成することも可能である。
【図面の簡単な説明】
【００３１】
【図１】本発明を適用したカートリッジ式記録再生装置の実施例１における蓋ロック解除用スライダーの禁止解除位置への移動が妨げられた状態でヘッド昇降駆動用部材によって磁気ヘッドが上昇される様子を説明する平面図である。
【図２】同上の実施例１におけるヘッド昇降駆動用部材による磁気ヘッドの上昇動作を説明する平面図である。
【図３】同上の実施例１におけるヘッド昇降駆動用部材による磁気ヘッドの下降動作を説明する平面図である。
【図４】本発明を適用したカートリッジ式記録再生装置の実施例２における蓋ロック解除用スライダーの禁止解除位置への移動が妨げられた状態でヘッド昇降駆動用部材によって磁気ヘッドが上昇される様子を説明する平面図である。
【図５】同上の実施例２におけるヘッド昇降駆動用部材による磁気ヘッドの上昇動作を説明する平面図である。
【図６】従来のカートリッジ式記録再生装置全体を示す一部切欠き斜視図である。
【図７】同上のカートリッジ式記録再生装置のカートリッジホルダーのポップアップ状態を示した断面図である。
【図８】同上のカートリッジ式記録再生装置のカートリッジホルダーのローディング状態を示した断面図である。
【図９】同上のカートリッジホルダー内へのディスクカートリッジの挿入・排出動作と磁気ヘッドの上昇状態を説明する要部の拡大断面図である。
【図１０】同上のカートリッジホルダー内へのディスクカートリッジホルダー内へのディスクカートリッジの挿入・排出動作と磁気ヘッドの下降状態を説明する要部の拡大断面図である。
【図１１】同上のカートリッジ式記録再生装置のヘッド昇降駆動用部材のヘッド下降位置と蓋ロック解除禁止レバーの禁止解除位置を示す平面図である。
【図１２】同上のカートリッジ式記録再生装置のヘッド昇降駆動用部材のヘッド上昇位置と蓋ロック解除禁止レバーの禁止位置を示す平面図である。
【図１３】図１１の蓋ロック解除禁止レバーと開閉蓋ロック用部材との位置関係を示した斜視図である。
【図１４】図１２の蓋ロック解除禁止レバーが開閉蓋ロック用部材で禁止位置にロックされた様子を示した斜視図である。
【符号の説明】
【００３２】
１    ＭＤ（ミニディスク）
２    ＭＤカートリッジ（カートリッジ）
３    記録再生装置
４    メカデッキ
５    スピンドルモータ
６    光学ピックアップ
７    開閉蓋
８    カートリッジホルダー
９    回転支点
１０  磁気ヘッド
１１  サスペンション
１３  開閉蓋ロック用部材
１４  引張りコイルバネ
１５  ロック用つまみ
１７  ヘッド昇降駆動用部材
１８  ヘッド昇降駆動用モータ
２０  蓋ロック解除禁止用レバー
２１  回転支点
２６  蓋ロック解除禁止用スライダー
２７  回転支点
２８  捩りコイルバネ
３０  捩りコイルバネ
３１  当接部
３２  当接部
【図１】
2006048787.tif 000003
【図２】
2006048787.tif 000004
【図３】
2006048787.tif 000005
【図４】
2006048787.tif 000006
【図５】
2006048787.tif 000007
【図６】
2006048787.tif 000008
【図７】
2006048787.tif 000009
【図８】
2006048787.tif 000010
【図９】
2006048787.tif 000011
【図１０】
2006048787.tif 000012
【図１１】
2006048787.tif 000013
【図１２】
2006048787.tif 000014
【図１３】
2006048787.tif 000015
【図１４】
2006048787.tif 000016